(57)【要約】      （修正有）【課題】特にファッション性を考慮して、着ておしゃれを楽しめると共に、頻繁に全体を洗濯する必要がなく、外出中でも容易に汚れ対策を施すことができ、より積極的に外出がしたくなる車椅子利用者用コートを提供する。【解決手段】前身頃１、後身頃、長袖部１１から構成される車椅子利用者用コートに於いて、長袖部１１の袖ぐり１０から肘の間の任意の位置の外周にファスナー２１の第一かみ合わせ部材を備え、長袖部１１の外側を覆うと共に、一方の端部外周にファスナー２１の第一かみ合わせ部材と離着自在な一対の第二かみ合わせ部材を備えた円筒状の外袖部１４を設け、ファスナー２１の第一及び第二かみ合わせ部材をかみ合わせて、外袖部１４を長袖部１１の外側に取り付けることで、袖を内側の長袖部１１と外側の外袖部１４の二重袖構造とし、また外袖部１４を取り外しても長袖部１１は残るようにする。【選択図】図１
2009275325.tif 000002
【特許請求の範囲】
【請求項１】
前身頃、後身頃、長袖部から構成される車椅子利用者用コートに於いて、前記長袖部の袖ぐりから肘の間の任意の位置の外周にファスナーの第一かみ合わせ部材を備え、前記長袖部の外側を覆うと共に一方の端部外周に、前記ファスナーの第一かみ合わせ部材と離着自在な一対の第二かみ合わせ部材を備えた円筒状の外袖部を設け、前記ファスナーの第一及び第二かみ合わせ部材をかみ合わせて前記外袖部を前記長袖部の外側に取り付けることで、袖を内側の前記長袖部と外側の前記外袖部の二重袖構造とし、前記ファスナーの第一及び第二かみ合わせ部材のかみ合わせを離し、前記外袖部を取り外しても前記長袖部は残るようにすることを特徴とする車椅子利用者用コート。
【請求項２】
袖ぐりの脇の下の接続部分にマチを設けると共に、袖ぐりの上部の肩の前から後方にかけて襞を設けることを特徴とする請求項１記載の車椅子利用者用コート。
【請求項３】
後身頃の腰部分及びまたは前記前見頃の膝上部分に、携帯用懐炉を入れることができるポケットを設けることを特徴とする請求項１又は２記載の車椅子利用者用コート。
【請求項４】
前記後身頃は肩から腰部辺りまでを被う長さとし、前記前身頃は肩から脛部辺りまでを被う長さとし、該前身頃の裾脇部分を腰部の幅より狭い幅になるよう丸くカットしたことを特徴とする請求項１乃至３の何れかに記載の車椅子利用者用コート。
【請求項５】
前記前身頃の裾中心部分の左右の合わせ部分を広くしたことを特徴とする請求項１乃至４の何れかに記載の車椅子利用者用コート。
【発明の詳細な説明】
【技術分野】
【０００１】
本発明は、車椅子利用者が着用するための、車椅子利用者用のコートに関するもので、防寒コート、レインコート等に適応可能なものである。
【背景技術】
【０００２】
一般的に、車椅子利用者は生活全般において介助を要することが多く、ともすれば介助する側の利便性が優先され、介助される側の気持ちがなおざりにされる傾向がある。そのため、衣服については、洗濯がし易く、着たり脱いだりが容易なものとなりがちである。このような理由により、外出時に雨や寒さから身を守る服装にあっても、雨合羽、ジャンパーと膝かけの組み合わせ、車椅子と車椅子利用者全体を被うだけのシートタイプのコート（例えば、特許文献１参照）というものが一般的で、どちらかというと介助者側の利便性に重点が置かれており、車椅子利用者の着心地やコートを着用しておしゃれを楽しむというには程遠いものであった。
【０００３】
健常者が着用するような一般の防寒コート、レインコートを着用して外出時におしゃれを楽しみたいとしても、介助者側にとっても、車椅子利用者にとっても、着たり脱いだりが煩雑で時間も掛かり、また一般の方に比べると汚れ易いため洗濯を頻繁にしなければならないが、生地が傷み易くまたクリーニング代も嵩むことになることから、一般のコートの着用は諦めざるを得ないのが現状であった。
【０００４】
このような車椅子利用者用のコートの課題を解決するものとして、前身頃を肩から脛部辺りまでを被う長さにすると共に後身頃を肩から腰部辺りまでを被う長さとして、後身頃を利用者の尻の下に挟みこまないようにして、着座したままでも一人でコートを着脱でき、更に、袖部の、体側に臨ませて内方表面と袖口の外周面とに補強用の防護布を止着して、車椅子のタイヤやハンドリムに接触することによる袖部の汚れや損傷を防ぐことができるコート（例えば、特許文献２参照）が開示されている。
【特許文献１】実用新案登録第３００３６４７号公報
【特許文献２】特開平８−９２８０５号公報
【発明の開示】
【発明が解決しようとする課題】
【０００５】
特許文献１に示すような、車椅子と車椅子利用者全体を被うだけのシートタイプのコートは、衣服というよりは単にカバーするというイメージが強かったために、ファッション性に欠け車椅子利用者のおしゃれをして外出したいという欲求を全く考慮していないものであった。
【０００６】
また、特許文献２の車椅子用コートは、袖もあり見た目はかなり一般のコートに近いものであるが、袖部の、体側に臨ませた内方表面と袖口の外周面とに補強用の防護布を設けているため、前身頃、後身頃、袖部の生地と異なる生地となり統一性がなくファッション性に欠け、特殊な衣服のイメージを払拭できず、おしゃれを楽しむというには程遠いものであった。また、レインコートなどの薄手の生地には不向きであった。
【０００７】
車椅子利用者の袖部は、タイヤの泥はねや、タイヤに接触することによる濡れや汚れを起こし易い。特許文献２のコートは、防護布に付着した汚れを容易に拭き取る事ができるというものであるが、車椅子利用者自身が外出先で汚れをとるという行為は、実際には極めて困難なことであるため、帰宅するまでは汚れた状態となり、外出中は不快な状態となる。また、人工皮革の防護布であっても、度重なる摩擦には劣化し、擦り切れを起こす可能性がある。また、特許文献２の車椅子用コートの前身頃の裾脇部分は外側に突出しているため、車椅子のタイヤやハンドリムに絡まったり、タイヤに触れて汚れてしまったり、また、車椅子利用者自身が車椅子を漕ぐ時には邪魔になるものであった。
【０００８】
また、車椅子利用者が特許文献２のような袖のあるコートを着用する時には、上半身のみを動かして袖に腕を通すため、一方の袖は通せても、後から通す袖は袖ぐりがきつくなり、脇がほつれてしまったり、大きめのサイズのものでなければ着られなかった。
【０００９】
また、車椅子利用者は下半身の血行の悪いことが多く、特に冬場には下半身の冷えから外出を控える傾向があった。
【００１０】
本発明は、このような課題を解決しようとするものであり、特にファッション性を考慮して、着ておしゃれを楽しめると共に、頻繁に全体を洗濯する必要がなく、外出中でも容易に汚れ対策を施すことができ、より積極的に外出がしたくなる車椅子利用者用コートを提供することを目的とする。
【課題を解決するための手段】
【００１１】
本発明は前記目的を達成するため、前身頃、後身頃、長袖部から構成される車椅子利用者用コートに於いて、長袖部の袖ぐりから肘の間の任意の位置の外周にファスナーの第一かみ合わせ部材を備え、長袖部の外側を覆うと共に一方の端部外周にファスナーの第一かみあわせ部材と離着自在な一対の第二かみ合わせ部材を備えた円筒状の外袖部を設け、ファスナーの第一及び第二かみ合わせ部材をかみ合わせて、外袖部を長袖部の外側に取り付けることで、袖を内側の長袖部と外側の外袖部の二重袖構造とし、ファスナーの第一及び第二かみ合わせ部材のかみ合わせを離し、外袖部を取り外しても長袖部は残るようにすることを特徴とする。
【００１２】
また、本発明は、袖ぐりの脇の下の接続部分にマチを設けると共に、袖ぐりの上部の肩の前から後方にかけて襞を設けることを特徴とする。
【００１３】
また、本発明は、後身頃の腰部分及びまたは前見頃の膝上部分に携帯用懐炉を入れることができるポケットを設けることを特徴とする。
【００１４】
また、本発明は、後身頃は肩から腰部辺りまでを被う長さとし、前身頃は肩から脛部辺りまでを被う長さとし、前見頃の裾脇部分を腰部の幅より狭い幅になるよう丸くカットしたことを特徴とする。
【００１５】
また、本発明は、前身頃の裾中心部分の左右の合わせ部分を広くしたことを特徴とする。
【発明の効果】
【００１６】
本発明は、上述の如く構成したことにより、車椅子利用者の袖部が外出先でタイヤの泥はねや、タイヤに接触し易いことによる濡れや汚れを起こしても、濡れたり汚れたりした外袖部をファスナーで簡単に取り外す事が出来るので、その場で不快な思いをしなくとも良く、また汚れを拭き取るという面倒さもなく過ごす事ができる。また外袖部を取り外したとしても、内側にはもう一枚袖（長袖部）があるので、外見上もほとんど変わりがなく違和感がないため他人の目を意識しなくて良い。このように、外袖部をファスナーにより目立たないように、長袖部に取付自在にしたことより、健常者が着用するような袖のあるコートを着ておしゃれを楽しむことができ、結果、外出に対し積極的になる。
【００１７】
また、外袖部は、長袖部の外周側にファスナーで取り付けられるため、内側の長袖部は接合部がなく形成されており、袖に手を通すときに引っ掛かることがなくスムースに着用できる。また、袖が汚れた場合は、外袖部のみを取り外して洗濯できるので簡単である。また、外袖部の替えの色や柄を変化させて、違う気分を楽しむこともできる。
【００１８】
また、このコートの袖ぐりには、脇の下のマチと、肩部分の襞が形成されているため、袖ぐり部の上下及び前後の可動域を大きくすることができ、上半身のみを動かして袖に腕を通す利用者が袖を通す時の窮屈さを感じたり、大きいサイズのものを着用しなくても良く、また、コートの破れやほつれなども防ぐことができる。また、腕の上げ下げや、上体の前後の反らしが楽に出来るので着用感が良い。
【００１９】
また、後身頃の腰部分及びまたは前見頃の膝上部分に携帯用懐炉を入れることができるポケットを設けたことにより、下半身が冷えやすい利用者を寒さから保護することができる。また、このポケットは携帯用懐炉のみでなく、腰部分には貴重品、膝上部分には利用者が取り出し易いのでハンカチ等の小物を入れることができ、便利である。
【００２０】
また、前見頃の裾脇部分を腰部の幅より狭い幅になるよう丸くカットしてあるので、利用者がタイヤやハンドリムに裾を絡ませて破いたり、タイヤに触れて汚したりすることがない。また、左右の裾中心の合わせ部分を広くとってあるので、利用者が足を開いて座っても、裾の前が開く事がないので温かくゆったりと座ることができ、着心地が良い。
【発明を実施するための最良の形態】
【００２１】
以下、本発明の車椅子利用者用コートについて添付図面に基づいて詳細に説明する。本
発明の車椅子利用者用コートは、前身頃で１、後身頃９、長袖部１１、長袖部１１の外周部に取付自在の外袖部１４から構成される。
【００２２】
前身頃１は、図１に示すように、右前身頃２と左前身頃３から構成され、図３，図４に示すように、車椅子利用者である着用者２０の肩から脛部辺りまでを被覆可能な長さで形成される。また、右前身頃裾４と左前身頃裾５は、図１〜図４に示すように着用者２０の腿部から脛部までの両裾脇部分６で、腰部辺りの幅より狭い幅になるよう丸くカットされているため、コートの裾部が車椅子のタイヤやハンドリムに絡まることや、タイヤとの接触による汚れを防止できる。また、右前身頃裾中心部７と左前身頃裾中心部８を斜めに張り出させ裾中心部分の左右の合わせ部分を広くして、更にボタン等で止着することによって、図５に示すように座った時の裾の開きを防止できる。したがって、着用者２０が足を開いて座っても、裾の前が開く事がないので温かくゆったりと座ることができ、着心地が良い。
【００２３】
後見頃９は、図２に示すように、肩から腰部辺りまでを被覆可能な長さで形成される。したがって、着用者２０は、尻部を持ち上げることなく、車椅子に座ったままの姿勢でコートを着脱できる。また、尻部と車椅子の座部上面にコートが挟まることがないため、引っ張られる感じもなく、動き易いものである。
【００２４】
また、この前身頃１と後身頃９との袖ぐり１０の両側には、図１，図２に示すように長袖部１１が接続される。また、図１〜図４に示すようにこの長袖部１１の袖ぐりと肘の間の任意の位置で、長袖部１１の外周と、円筒状の外袖部１４の上端外周がファスナー２１でかみ合わせて取り付けられる。したがって、ファスナー２１をかみ合わせて、外袖部１４を長袖部１１の外周に取り付けることで、袖は、外側の外袖部１４と長袖部１１の外袖部１４の内側となる内袖部１６との二重袖構造となる。また、図６に示すようにファスナー２１のかみ合わせを離し、外袖部１４を取り外しても長袖部１１（内袖部１６）は残ることになるため、外見上はほとんど変わりがなく違和感がないため他人の目を意識しなくて良い。
【００２５】
例えば、着用者２０が車椅子１２のハンドリム１３を操作していた最中に、外袖部１４がタイヤ１５に接触して汚れた時には、ファスナー２１のかみ合わせを離し取り外すことができるので、汚れた場所は見えなくなると共に、図６に示すように外袖部１４を取り外しても中には長袖部１１（内袖部１６）が残っているので外出先から帰ってくるまでの間、不快感なくそのまま着用することが出来る。また、外袖部１４を複数枚用意することで、外出時に交換することも可能であり、また洗濯をしたり、損傷した場合の交換も可能である。更に、色や模様の異なるものを複数用意して、おしゃれとして好きなものをその日の気分などで変えることもできる。
【００２６】
また、２３は図７に示すようにファスナー２１のかみ合わせ部である。ファスナー２１は、長袖部１１の外周に備えられた第一かみ合わせ部材２４と、外袖部１４の上端部外周に設けられる第一かみ合わせ部材２４と離着自在な一対の第二かみ合わせ部材２５とから構成されている。第一かみ合わせ部材２４は、エレメント２７付きテープ２６で構成され、長袖部１１の袖部外周に一周するようにテープ２６を縫い合わせてある。また、第二かみ合わせ部材２５は、エレメント２９付きテープ２８で構成され、外袖部１４の上端部外周に一周するようにテープ２８を縫い合わせてある。エレメント２７，２９は、袖部の途中にファスナー２１がある不自然さを感じさせないよう、エレメント２７，２９をかみ合わせたかみ合わせ部２３以外を、布地を被せて見えないように縫い合わせている。また、ファスナー２１のエレメント２７，２９をかみ合わせたり、離したりするスライダー２２は外周を一周させることで違和感がないうえ、身体側から開閉し始めるようにしているので、着用者自身がファスナー２１を容易に開閉できる。また、ファスナー２１のエレメント２７，２９やスライダー２２ができる限り外部から見えないよう形成し、デザイン性に考慮している。また、長袖部１４は着用者がスムースに手を通せるよう裏地を使用している。また、ファスナー２１としては面ファスナーも適用可能である。
【００２７】
また、図１に示す袖ぐり１０の脇の下部分に、図８に示すようにマチ３０を形成し、袖ぐり１０の脇の下部分に開口をもたせている。また、袖ぐり１０の上部の肩の前身頃１と後身頃９にかけて図９に示すように襞１９を形成し、腕の動きに対しての見頃の広がりを持たせている。実験した結果、幅５ｃｍ長さ１６ｃｍのマチと、幅１ｃｍで前身頃側の長さ２２ｃｍ後身頃の長さ２５ｃｍの襞を形成させることにより、見頃と袖の接続部に適宜な広がりができ、そのため腕の上げ下げが容易になり、着用者のスムースな着脱が可能となることが判明した。また、上体を前屈したり、後ろへ反らした時の窮屈さも防止できることが判明した。
【００２８】
また、図１と図２に示すようにコートの後身頃９の内側の腰部分１７と右前身頃２と左前身頃３の内側の膝部分１８の身体に接する側の面に、携帯用懐炉を入れるポケットを設け、着用者の下半身の冷えを防止させることが可能である。また、このポケットは貴重品入れや小物入れとして活用させることが可能である。
【図面の簡単な説明】
【００２９】
【図１】本発明のコートの正面図である
【図２】本発明のコートの背面図である
【図３】車椅子利用者がコートを着用し車椅子に座った時の状態の側面図である。
【図４】車椅子利用者がコートを着用し車椅子に座った時の状態の正面図である。
【図５】車椅子利用者がコートを着用し車椅子に座った時の裾部分の正面図である。
【図６】外袖部と長袖部（内袖部）を取り出して説明した説明図である。
【図７】図１のＡに示す、ファスナーのかみ合わせ部分を拡大した説明図である。
【図８】図１のＢに示す、袖ぐり脇の下のマチ部分を拡大した説明図である。
【図９】図１のＢに示す、袖ぐり肩部分の襞を拡大した説明図である。
【符号の説明】
【００３０】
１  前身頃
２  右前身頃
３  左前身頃
４  右前身頃裾
５  左前身頃裾
６  両脇裾部分
７  右前身頃裾中心側
８  左前身頃裾中心側
９  後身頃
１０  袖ぐり
１１  長袖部
１２  車椅子
１３  ハンドリム
１４  外袖部
１５  タイヤ
１６  内袖部
１７  腰部ポケット
１８  脛部ポケット
１９  襞
２０  着用者
２１  ファスナー
２２  スライダー
２３  かみ合わせ部
２４  第一かみ合わせ部材
２５  第二かみ合わせ部材
２６，２８  テープ
２７，２９  エレメント
３０  マチ
【図１】
2009275325.tif 000003
【図２】
2009275325.tif 000004
【図３】
2009275325.tif 000005
【図４】
2009275325.tif 000006
【図５】
2009275325.tif 000007
【図６】
2009275325.tif 000008
【図７】
2009275325.tif 000009
【図８】
2009275325.tif 000010
【図９】
2009275325.tif 000011